(57)【要約】【課題】タンブラーを加湿のための水供給容器及び飲料摂取用に使用者が携帯できる飲料容器として兼用することができるタンブラー結合型加湿器を提供する。【解決手段】飲料を保存する保存空間及び該保存空間に連結されて外側に開放する開口を有するタンブラー胴体、前記開口を開閉するように前記タンブラー胴体に分離可能に結合されるタンブラー蓋、及び前記保存空間に保存される液体を排出できるよう前記保存空間に連結して配置されるタンブラーバルブを備えるタンブラーと、該タンブラーが分離可能に結合される装着部を備えた加湿器胴体と、前記タンブラーバルブに連結され、前記タンブラー胴体の内部に保存される水が流入できるように前記加湿器胴体に配置されるカップリング部と、該カップリング部を介して流入する水を気化できるよう前記加湿器胴体の内側に配置される気化部と、該気化部で気化する水分を噴霧できるよう前記加湿器胴体の一側に備えられる噴霧部とを含む。【選択図】  図１
2020012626.tif 000002
【特許請求の範囲】
【請求項１】
飲料を保存する保存空間及び前記保存空間に連結されて外側に開放する開口を有するタンブラー胴体、前記開口を開閉するように前記タンブラー胴体に分離可能に結合されるタンブラー蓋、及び前記保存空間に保存される液体を排出させることができるように前記保存空間に連結されるように配置されるタンブラーバルブを備えるタンブラーと、
前記タンブラーが分離可能に結合される装着部を備えた加湿器胴体と、
前記タンブラーバルブに連結され、前記タンブラー胴体の内部に保存される水が流入することができるように前記加湿器胴体に配置されるカップリング部と、
前記カップリング部を介して流入する水を気化させることができるように前記加湿器胴体の内側に配置される気化部と、
前記気化部で気化する水分を噴霧することができるように前記加湿器胴体の一側に備えられる噴霧部と、を含み、
前記タンブラーは、前記装着部に装着されて前記気化部に水を供給する水供給容器及び飲料を入れて使用者が携帯することができる飲料容器として兼用可能であることを特徴とする、タンブラー結合型加湿器。
【請求項２】
前記加湿器胴体に配置されて前記タンブラーを加熱する加熱部をさらに含むことを特徴とする、請求項１に記載のタンブラー結合型加湿器。
【請求項３】
前記加湿器胴体を、前記タンブラーから水を受けて気化させる加湿モードと前記タンブラーを加熱する加熱モードのいずれか一つの動作モードで作動させるための使用者入力信号を発生する入力部をさらに含むことを特徴とする、請求項２に記載のタンブラー結合型加湿器。
【請求項４】
前記開口が開放したままで前記タンブラー胴体が前記装着部に置かれた状態で前記保存空間を殺菌することができるように前記加湿器胴体に配置される殺菌部をさらに含むことを特徴とする、請求項１に記載のタンブラー結合型加湿器。
【請求項５】
前記加湿器胴体を、前記タンブラーから水を受けて気化させる加湿モードと前記タンブラー胴体を殺菌する殺菌モードのいずれか一つの動作モードで作動させるための使用者入力信号を発生する入力部をさらに含むことを特徴とする、請求項４に記載のタンブラー結合型加湿器。
【請求項６】
前記殺菌部は、前記開口を通して前記保存空間に紫外線を照射することができるＵＶ  ＬＥＤを含むことを特徴とする、請求項４に記載のタンブラー結合型加湿器。
【請求項７】
前記タンブラーバルブは前記タンブラー胴体の一側に備えられることを特徴とする、請求項１に記載のタンブラー結合型加湿器。
【請求項８】
前記タンブラーバルブは前記タンブラー蓋の一側に備えられることを特徴とする、請求項１乃至７のいずれか一項に記載のタンブラー結合型加湿器。
【請求項９】
前記タンブラーは、前記保存空間に保存される液体を加熱することができるヒーティング部材を含むことを特徴とする、請求項１乃至８のいずれか一項に記載のタンブラー結合型加湿器。
【請求項１０】
前記タンブラーはバッテリーを含み、
前記加湿器胴体には前記バッテリーを充電するための充電部を備えることを特徴とする、請求項１乃至９のいずれか一項に記載のタンブラー結合型加湿器。
【発明の詳細な説明】
【技術分野】
【０００１】
本発明は加湿器に関し、より詳しくは飲料の摂取に使われるタンブラーを水供給容器として活用して加湿することができるタンブラー結合型加湿器に関する。
【背景技術】
【０００２】
近年、室内で空気の浄化のための空気浄化器が広範囲に使われている。空気浄化器を長期間使えば、空気中に含まれた水分が除去されて空気が乾燥する。また、冬季に暖房装置を長期間使えば、室内空気中の水分が蒸発して空気が過度に乾燥しやすい。
【０００３】
室内の空気が乾燥する場合、加湿器を用いて空気中の湿度を調節することができる。一般に、加湿器は、電気エネルギーを用いてきれいな水を粒子化して室内に噴射することによって空気中に水分を供給することになる。現在、加湿器は多様な大きさと多様な形態の製品が販売されており、小型の個人用加湿器の需要も倦まず弛まず繋がっている。
【０００４】
個人用加湿器は家庭や事務室で机などに備えて使うことが一般的である。ところで、机にはコンピュータ、又は多様な事務用品、飲料摂取のためのコップなどが置かれることが通常的であるので、机の上に個人用加湿器の設置空間を確保することが易しいことではない。
【０００５】
一方、近年、飲料摂取のために紙コップよりはタンブラーを使う人口が増加している。タンブラーは、各種の炭酸飲料、ジュース、コーヒー、各種のお茶や冷温水などの多様な飲料を入れて摂取するのに用いる。特に、タンブラーは、保冷又は保温の機能があるので、個人が冷飲料又は温飲料を入れて携帯して摂取するのに便利に用いることができる。
【０００６】
タンブラーは各種の飲料の容易な保管及び移動のために、蓋で加圧して密閉する密閉型構造が主に使われている。このような密閉型タンブラーは高い密閉力を提供して、その内部に入れられた飲料の漏出を防止することができ、使用時には蓋の簡単な開放によってその中に入れられた飲料を易しく飲むことができるようになっている。
【０００７】
現在、個人用加湿器とタンブラーの両方を用いる使用者の数が増加しているが、個人用加湿器とタンブラーのいずれをも用いようとすれば、机の上に個人用加湿器とタンブラーがそれぞれ置かれる空間を備えなければならない不便さがある。
【先行技術文献】
【特許文献】
【０００８】
【特許文献１】韓国登録実用新案第０３８１８７４号公報
【発明の概要】
【発明が解決しようとする課題】
【０００９】
本発明は上述したような点に鑑みて案出されたもので、タンブラーを、加湿のための水供給容器及び飲料を入れて飲料摂取用に使用者に携帯することができる飲料容器として兼用することができるタンブラー結合型加湿器を提供することをその目的とする。
【００１０】
本発明の目的は上述したものに限定されず、言及しなかった他の目的は下記の記載から通常の技術者に明らかに理解可能であろう。
【課題を解決するための手段】
【００１１】
上述したような目的を達成するための本発明によるタンブラー結合型加湿器は、飲料を保存する保存空間及び前記保存空間に連結されて外側に開放する開口を有するタンブラー胴体、前記開口を開閉するように前記タンブラー胴体に分離可能に結合されるタンブラー蓋、及び前記保存空間に保存される液体を排出させることができるように前記保存空間に連結されるように配置されるタンブラーバルブを備えるタンブラーと、前記タンブラーが分離可能に結合される装着部を備えた加湿器胴体と、前記タンブラーバルブに連結され、前記タンブラー胴体の内部に保存される水が流入することができるように前記加湿器胴体に配置されるカップリング部と、前記カップリング部を介して流入する水を気化させることができるように前記加湿器胴体の内側に配置される気化部と、前記気化部で気化する水分を噴霧することができるように前記加湿器胴体の一側に備えられる噴霧部とを含み、前記タンブラーが、前記装着部に装着されて前記気化部に水を供給する水供給容器及び飲料を入れて使用者が携帯することができる飲料容器として兼用可能であることを特徴とする。
【００１２】
本発明によるタンブラー結合型加湿器は、前記加湿器胴体に配置されて前記タンブラーを加熱する加熱部をさらに含むことができる。
【００１３】
本発明によるタンブラー結合型加湿器は、前記加湿器胴体を、前記タンブラーから水を受けて気化させる加湿モードと前記タンブラーを加熱する加熱モードのいずれか一つの動作モードで作動させるための使用者入力信号を発生する入力部をさらに含むことができる。
【００１４】
本発明によるタンブラー結合型加湿器は、前記開口が開放したままで前記タンブラー胴体が前記装着部に置かれた状態で前記保存空間を殺菌することができるように前記加湿器胴体に配置される殺菌部をさらに含むことができる。
【００１５】
本発明によるタンブラー結合型加湿器は、前記加湿器胴体を、前記タンブラーから水を受けて気化させる加湿モードと前記タンブラー胴体を殺菌する殺菌モードのいずれか一つの動作モードで作動させるための使用者入力信号を発生する入力部をさらに含むことができる。
【００１６】
前記殺菌部は、前記開口を通して前記保存空間に紫外線を照射することができるＵＶ  ＬＥＤを含むことができる。
【００１７】
前記タンブラーバルブは前記タンブラー胴体の一側に備えられることができる。
【００１８】
前記タンブラーバルブは前記タンブラー蓋の一側に備えられることができる。
【００１９】
前記タンブラーは、前記保存空間に保存される液体を加熱することができるヒーティング部材を含むことができる。
【００２０】
前記タンブラーはバッテリーを含むことができ、前記加湿器胴体には前記バッテリーを充電するための充電部を備えることができる。
【発明の効果】
【００２１】
本発明によるタンブラー結合型加湿器は、タンブラーを加湿器胴体に装着して加湿のための水を供給することができる水供給容器及び飲料を入れて飲料摂取用に使用者が携帯することができる飲料容器として兼用することができる。したがって、使用者が必要によってタンブラーに水を入れ、加湿器胴体に結合して加湿器胴体を加湿モードで作動させることができ、タンブラーを加湿器胴体から分離し、飲料を入れて飲料摂取用に用いることができるので、活用性に優れ、使用者に多様な便宜を提供することができる。
【００２２】
また、本発明によるタンブラー結合型加湿器は、タンブラーが加湿器胴体に装着されるので、加湿器とタンブラーを全て使おうとする使用者が机などの設置空間が相対的に狭い場所に置いて便利に用いることができる。
【００２３】
また、本発明によるタンブラー結合型加湿器は、タンブラーに入れられた飲料を、加湿器胴体を用いて加熱することができるので、タンブラーに入れられた飲料を保温するか、温飲料を作って使用者に提供することができる。
【００２４】
また、本発明によるタンブラー結合型加湿器は、加湿器胴体が加湿の機能以外にタンブラー胴体を乾燥するか殺菌する用途に活用することができ、タンブラー胴体を加湿器胴体に装着して殺菌保管することができるので、使用者がタンブラーをより衛生的に使うことができる。
【００２５】
本発明の効果は上述したものに限定されず、言及しなかった他の効果は下記の記載から通常の技術者に明らかに理解可能であろう。
【図面の簡単な説明】
【００２６】
【図１】本発明の一実施例によるタンブラー結合型加湿器を示した斜視図の一例である。
【図２】本発明の一実施例によるタンブラー結合型加湿器を示した正面図の一例である。
【図３】本発明の一実施例によるタンブラー結合型加湿器を示した側面図の一例である。
【図４】本発明の一実施例によるタンブラー結合型加湿器の加湿器胴体からタンブラーが分離された形態を示した側面図の一例である。
【図５】本発明の一実施例によるタンブラー結合型加湿器の加湿器胴体からタンブラーが分離された形態を示した斜視図の一例である。
【図６】本発明の一実施例によるタンブラー結合型加湿器の加湿器胴体からタンブラーが分離された形態を示した斜視図の他の一例である。
【図７】本発明の一実施例によるタンブラー結合型加湿器のタンブラーを乾燥及び殺菌する方法を説明するための斜視図の一例である。
【図８】本発明の一実施例によるタンブラー結合型加湿器のタンブラーを乾燥及び殺菌する方法を説明するための側面図の一例である。
【発明を実施するための形態】
【００２７】
以下、添付図面に基づいて本発明の実施例のいくつかについて本発明が属する技術分野で通常の知識を有する者が容易に実施することができるように詳細に説明する。本発明はさまざまな相異なる形態に具現されることができ、ここで説明する実施例に限定されない。
【００２８】
本発明を明確に説明するために説明と関係ない部分は省略し、明細書全般にわたって同一又は類似の構成要素に対しては同じ参照符号を付ける。
【００２９】
また、幾つかの実施例において、同じ構成を有する構成要素に対しては同じ符号を付けて代表的な実施例でだけ説明し、その以外の実施例では代表的な実施例と違う構成のみについて説明する。
【００３０】
明細書全般にわたり、ある部分が他の部分に“連結”されていると言うとき、これは“直接的に連結”されている場合だけではなく、他の部材を挟んで“間接的に連結”されているものも含む。また、ある部分がある構成要素を“含む”と言うとき、これは特に反対の記載がない限り、他の構成要素を除くものではなく、他の構成要素をさらに含むことを意味することができる。
【００３１】
図面に示したように、本発明の一実施例によるタンブラー結合型加湿器１００は、使用者が各種の飲料を摂取するために携帯することができるタンブラー１１０と、タンブラー１１０が分離可能に装着される加湿器胴体１３０とを含む。このようなタンブラー結合型加湿器１００は、タンブラー１１０を加湿器胴体１３０に装着して加湿のための水を供給することができる水供給容器及び飲料を入れて飲料摂取用に使用者が携帯することができる飲料容器として兼用することができる。
【００３２】
タンブラー１１０は、各種の飲料や水を保存することができるタンブラー胴体１１１と、タンブラー胴体１１１に分離可能に結合されるタンブラー蓋１１５と、タンブラー胴体１１１に保存された水を排出することができるようにタンブラー胴体１１１の一側に備えられたタンブラーバルブ１１７とを含む。
【００３３】
タンブラー胴体１１１の内側には飲料や水などの各種の液体を保存することができる保存空間１１２が備えられる。そして、タンブラー胴体１１１の一端部には保存空間１１２と連結されて外側に開放する開口１１３（図７参照）が備えられる。
【００３４】
タンブラー蓋１１５はタンブラー胴体１１１の一端部に分離可能に結合されて開口１１３を開閉する。タンブラー１１０を水供給容器として使うとき、タンブラー蓋１１５はタンブラー胴体１１１に結合されて保存空間１１２を密閉することができる。そして、タンブラー１１０を飲料容器として用いるとき、使用者はタンブラー蓋１１５をタンブラー胴体１１１から分離するかタンブラー蓋１１５に取り付けられた開閉具（図示せず）を開けてタンブラー胴体１１１の開口１１３を開放して飲料を摂取することができる。
【００３５】
タンブラーバルブ１１７はタンブラー胴体１１１の保存空間１１２に連結されるようにタンブラー胴体１１１の他端部に備えられる。タンブラー１１０を水供給容器として用いる場合、保存空間１１２に保存される液体がタンブラーバルブ１１７を通じて保存空間１１２から排出されることができる。タンブラーバルブ１１７は、通常のバルブのように、流体移動が可能なオリフィス１１８（図３参照）と、オリフィス１１８を開閉することができるプラグ１１９（図５参照）とを備え、プラグ１１９の動きによってオリフィス１１８を開閉する方式で保存空間１１２に保存された液体を選択的に排出させることができる。オリフィス１１８は保存空間１１２に連結されてタンブラー胴体１１１の外側に開放している。
【００３６】
このようなタンブラーバルブ１１７は、タンブラー胴体１１１が加湿器胴体１３０に結合されるとき、加湿器胴体１３０に備えられたカップリング部１３３と連結されることにより、保存空間１１２に保存された液体をカップリング部１３３（図６参照）に供給することができる。タンブラーバルブ１１７は、通常の加湿器用水槽に備えられるバルブ構造など、保存空間１１２に保存された液体を選択的に排出させることができる多様な構造を有することができる。
【００３７】
その他に、タンブラー１１０は、ヒーティング部材１２１（図５参照）と、バッテリー１２３（図４参照）とを含む。
【００３８】
ヒーティング部材１２１は、保存空間１１２に保存された液体を加熱することができるように、タンブラー胴体１１１の他端部に配置される。ヒーティング部材１２１は、加湿器胴体１３０に備えられる加熱部１４４（図６参照）によって加熱される構造又は自体発熱機能を有する構造などの多様な構造を有することができる。ヒーティング部材１２１が加熱することによって保存空間１１２に保存された飲料を保温するか温飲料を作ることができる。ヒーティング部材１２１の具体的な構造又は位置は多様に変更可能である。
【００３９】
バッテリー１２３はタンブラー１１０の動作に必要な電力を供給する。ヒーティング部材１２１が電力を受けて発熱する構造の場合、バッテリー１２３がヒーティング部材１２１に電力を供給することもできる。その他に、タンブラー１１０がランプ、ディスプレイなどの電装品を備えている場合、バッテリー１２３が各種の電装品に電力を供給することができる。バッテリー１２３は充電型又は交替型の構造などの多様な構造を有することができる。
【００４０】
加湿器胴体１３０は机の上面などの平面に立てられるように底面が平たく、タンブラー１１０が立てられた姿勢で装着可能な構造になる。加湿器胴体１３０の一側には外側に開放した収容空間１３１（図４参照）が備えられ、収容空間１３１の下側にタンブラー１１０が分離可能に結合される装着部１３２が備えられる。タンブラー１１０は一端が装着部１３２と対向するように立てられて装着部１３２に結合されることによって収容空間１３１に収容されることができる。
【００４１】
装着部１３２は、タンブラーバルブ１１７と連結されることができるカップリング部１３３（図６参照）と、タンブラー１１０を加熱するための加熱部１４４と、タンブラー１１０を殺菌するための殺菌部１４６とを備える。
【００４２】
カップリング部１３３は、タンブラー１１０が装着部１３２に装着されるとき、タンブラーバルブ１１７と連結される。タンブラーバルブ１１７がカップリング部１３３と連結された状態で、タンブラーバルブ１１７のプラグ１１９が動いてオリフィス１１８が開放すれば、タンブラー胴体１１１の内部に保存された水がタンブラーバルブ１１７を通してカップリング部１３３に流入することができる。カップリング部１３３に流入する水は加湿器胴体１３０の内部に備えられた給水路１３４（図３参照）を通して気化部１３６に供給され、気化部１３６で気化することができる。
【００４３】
気化部１３６は、給水路１３４と連結され、所定量の水を収容するチャンバー１３７と、チャンバー１３７に収容された水を気化させる気化器１３８とを含む。気化器１３８は電力を受けて超音波を発生して水を気化させる超音波振動子、又は水を加熱して気化させるヒーターなどの通常の加湿器に使われるもののような多様なものを用いることができる。
【００４４】
気化部１３６で気化する水分は吐出流路１４０を通して噴霧部１４２に流動する。噴霧部１４２は、気化部１３６で気化する水分を加湿器胴体１３０の外部に噴霧することができるように、加湿器胴体１３０の一側に備えられる。
【００４５】
加熱部１４４は、タンブラー１１０が装着部１３２に装着されたとき、タンブラー１１０を加熱することができる。加熱部１４４の作用によってタンブラー胴体１１１又はヒーティング部材１２１が加熱されることができる。加熱部１４４によってタンブラー胴体１１１又はヒーティング部材１２１が加熱されることにより、タンブラー１１０に保存された飲料に熱が伝達されて飲料を保温するか、温飲料を作ることができる。
【００４６】
また、加熱部１４４はタンブラー胴体１１１の内部を乾燥させるか加熱殺菌することができる。すなわち、タンブラー胴体１１１からタンブラー蓋１１５が分離され、タンブラー胴体１１１の開口１１３が装着部１３２と向き合うようにタンブラー胴体１１１が装着部１３２に置かれた状態で加熱部１４４がタンブラー胴体１１１を加熱することにより、タンブラー胴体１１１の内部を乾燥させるか殺菌させることができる。使用者はタンブラー胴体１１１を洗浄した後、タンブラー胴体１１１を覆して装着部１３２に装着することによってタンブラー胴体１１１を便利に乾燥させるか殺菌することができる。
【００４７】
加熱部１４４は電力を受けて熱を発生する電熱方式、タンブラー胴体１１１又はヒーティング部材１２１を誘導加熱するインダクション方式など、タンブラー胴体１１１やヒーティング部材１２１の素材などによって多様な構造を有することができる。また、加熱部１４４の位置も装着部１３２に限定されず、多様に変更されることができる。
【００４８】
殺菌部１４６は、タンブラー胴体１１１が装着部１３２に装着されるとき、タンブラー胴体１１１の内部を殺菌することができる。殺菌部１４６は紫外線を発生するＵＶ  ＬＥＤ１４７を含む。殺菌部１４６は、タンブラー胴体１１１からタンブラー蓋１１５が分離され、タンブラー胴体１１１の開口１１３が装着部１３２と向き合うようにタンブラー胴体１１１が装着部１３２に置かれた状態で、タンブラー胴体１１１の開口１１３を通してタンブラー胴体１１１の保存空間１１２に紫外線を照射することによってタンブラー胴体１１１の内部を殺菌することができる。使用者は、タンブラー胴体１１１を覆して装着部１３２に装着し、殺菌部１４６を作動させることによってタンブラー胴体１１１を便利に殺菌することができ、タンブラー胴体１１１を殺菌保管することによってタンブラー１１０を衛生的に使うことができる。
【００４９】
殺菌部１４６は、ＵＶ  ＬＥＤ１４７を含む構造の他に、殺菌用光を発生することができる他の殺菌ランプを含む構造、又は熱を加えてタンブラー胴体１１１を殺菌する構造などの多様な他の構造に変更されることができる。
【００５０】
その他に、加湿器胴体１３０は、充電部１５０（図４参照）と、入力部１５２（図１参照）と、制御部１５５（図３参照）とを備える。
【００５１】
充電部１５０はタンブラー１１０のバッテリー１２３を充電するためのもので、図示のように、装着部１３２の下側、又は加湿器胴体１３０の内部の多様な位置に配置されることができる。充電部１５０は、無線充電方式など、タンブラー１１０が装着部１３２に置かれるときバッテリー１２３を充電することができる多様な構造を備えることができる。
【００５２】
入力部１５２は使用者の入力のためのもので、加湿器胴体１３０の外側に露出されるように加湿器胴体１３０の一側に備えられる。入力部１５２は、使用者の操作によって入力信号を発生することができる複数のボタン１５３ａ、１５３ｂ、１５３ｃ、１５３ｄを含む。使用者は、これらのボタン１５３ａ、１５３ｂ、１５３ｃ、１５３ｄを用いてオン／オフ状態又は動作モードを選択することができる。例えば、入力部１５２のボタン１５３ａ、１５３ｂ、１５３ｃ、１５３ｄとして電力ボタン、加湿又は保湿ボタン、加熱又は乾燥ボタン、殺菌ボタンを含むことができる。
【００５３】
入力部１５２は、図示のように、複数のボタンを含む構造の他に、使用者の操作によって入力信号を発生することができる多様な他の構造に変更されることができる。他の例として、入力部１５２は無線リモートコントローラーの形態として加湿器胴体１３０とは別に備えることもできる。
【００５４】
制御部１５５は、入力部１５２から使用者の入力信号を受信し、気化部１３６、加熱部１４４、殺菌部１４６、充電部１５０などの動作など、加湿器胴体１３０の多様な動作を制御することができる。
【００５５】
例えば、制御部１５５は、入力部１５２を介して使用者の入力信号を受信し、タンブラー１１０から水を受けて気化させる加湿モードと、タンブラー１１０を加熱する加熱モードと、タンブラー胴体１１１を殺菌する殺菌モードのいずれか一つの動作モードで加湿器胴体１３０を作動させることができる。ここで、加熱モードは、タンブラー１１０を加熱してタンブラー１１０に入れられた飲料を加熱する動作モード、又はタンブラー胴体１１１を加熱してタンブラー胴体１１１を乾燥させる動作モードのいずれか一つであり得る。
【００５６】
上述したように、本発明の一実施例によるタンブラー結合型加湿器１００は、タンブラー１１０を加湿器胴体１３０に装着して加湿のための水を供給することができる水供給容器及び飲料を入れて飲料摂取用に使用者が携帯することができる飲料容器として兼用することができる。したがって、使用者が必要によってタンブラー１１０に水を入れて加湿器胴体１３０に結合し、加湿器胴体１３０を加湿モードで作動させるか、タンブラー１１０を加湿器胴体１３０から分離し、飲料を入れて飲料摂取用に用いることができる。
【００５７】
また、本発明の一実施例によるタンブラー結合型加湿器１００は、タンブラー１１０を加湿器胴体１３０に装着することにより、加湿器とタンブラーを全て使用する使用者が机などの設置空間の狭い場所に置いて便利に使うことができる。
【００５８】
また、本発明の一実施例によるタンブラー結合型加湿器１００は、加湿器胴体１３０を用いてタンブラー１１０に入れられた飲料を加熱することができるので、タンブラー１１０に入れられた飲料を保温するか温飲料を作ることができる。
【００５９】
また、本発明の一実施例によるタンブラー結合型加湿器１００は、加湿器胴体１３０がタンブラー胴体１１１を乾燥するか殺菌することができ、タンブラー胴体１１１を加湿器胴体１３０に装着して殺菌保管することができるので、タンブラー１１０の衛生的な使用が可能である。
【００６０】
また、本発明の一実施例によるタンブラー結合型加湿器１００は、タンブラー１１０を加湿器胴体１３０に装着してタンブラー１１０のバッテリー１２３を充電することができるので、タンブラー１１０の使用便宜性を増大させることができる。
【００６１】
以上で本発明を好適な例に基づいて説明したが、本発明の範囲は、以上で説明又は図示した形態に限定されるものではない。
【００６２】
例えば、タンブラー１１０の具体的な構造は図示のものに限定されず、多様に変更されることができる。図面にはタンブラーバルブ１１７がタンブラー胴体１１１の他端部に備えられたものとして示されているが、タンブラーバルブ１１７はタンブラー蓋１１５に備えられることもできる。この場合、使用者は、タンブラー１１０を水供給容器として用いるために、タンブラー蓋１１５が加湿器胴体１３０の装着部１３２に置かれるように、タンブラー１１０を覆して装着することにより、タンブラーバルブ１１７に保存された水を加湿器胴体１３０の気化部１３６に供給することができる。
【００６３】
また、タンブラー１１０に備えられるタンブラーバルブ１１７の構造は多様に変更されることができる。例えば、タンブラーバルブ１１７は、通常の加湿器のバルブのように、タンブラー１１０が装着部１３２に装着されるとき、プラグ１１９がカップリング部１３３によって押圧されてオリフィス１１８を開放方向に動かす構造を有することができる。
【００６４】
他の例として、タンブラーバルブ１１７は、タンブラー１１０が装着部１３２に装着された状態で使用者が入力部１５２を介して加湿モードを選択する場合に限ってオリフィス１１８を開放するように作動することができる。この場合、タンブラーバルブ１１７又はカップリング部１３３が入力部１５２の入力信号によって作動する構造を有することができる。このように、タンブラー結合型加湿器１００が加湿モードで作動する場合にだけタンブラーバルブ１１７がタンブラー１１０に入れられた液体を排出するようにすれば、使用者の間違いなどによって水以外の他の飲料が加湿器胴体１３０の内部に流入する問題を減らすことができる。
【００６５】
また、図面には示されていないが、タンブラー１１０にはランプ、ディスプレイ、通信部などの電装品が取り付けられることができる。タンブラー１１０に通信部を備える場合、加湿器胴体１３０にはタンブラー１１０の通信部と通信することができる通信部を備えることができ、加湿器胴体１３０からタンブラー１１０に情報を伝送するかあるいはタンブラー１１０に記憶された情報を加湿器胴体１３０に送信することができる。
【００６６】
また、加湿器胴体１３０の構造は多様に変更されることができる。すなわち、収容空間１３１の形態、位置、タンブラー１１０の装着構造、装着部１３２、カップリング部１３３、気化部１３６、加熱部１４４、殺菌部１４６、充電部１５０、入力部１５２などの設置位置は多様に変更されることができる。そして、加湿器胴体１３０の電力供給方式は直接連結式、充電式などの多様な方式を採択することができる。
【００６７】
以上、本発明の原理を例示するための好適な実施例に基づいて図示して本発明を説明したが、本発明はこのように図示して説明した通りの構成及び作用に限定されるものではない。むしろ、添付の特許請求範囲の思想及び範囲を逸脱することなしに本発明の多数の変更及び修正が可能であることが本発明の属する技術分野の通常の技術者は明らかに理解可能であろう。
【符号の説明】
【００６８】
１００    タンブラー結合型加湿器
１１０    タンブラー
１１１    タンブラー胴体
１１２    保存空間
１１３    開口
１１５    タンブラー蓋
１１７    タンブラーバルブ
１２１    ヒーティング部材
１２３    バッテリー
１３０    加湿器胴体
１３１    収容空間
１３２    装着部
１３３    カップリング部
１３６    気化部
１４２    噴霧部
１４４    加熱部
１４６    殺菌部
１５０    充電部
１５２    入力部
１５５    制御部
【図１】
2020012626.tif 000003
【図２】
2020012626.tif 000004
【図３】
2020012626.tif 000005
【図４】
2020012626.tif 000006
【図５】
2020012626.tif 000007
【図６】
2020012626.tif 000008
【図７】
2020012626.tif 000009
【図８】
2020012626.tif 000010